(57)【要約】【課題】容器内に差し込まれた手を容易に且つ確実に噴出水が当たる位置に位置させることができるマッサージ器を提供する。【解決手段】マッサージ室７の側面に、使用者が該マッサージ室７内に両手を差し込むための差込口９Ｌ，９Ｒが設けられている。マッサージ室７内に、使用者が両手で握るための１対の握り棒１１Ｌ，１１Ｒが設けられている。各握り棒１１Ｌ，１１Ｒの外周面には、親指及び人差し指を掛けるための溝１２が周設されている。各握り棒１１Ｌ，１１Ｒの側周面から側方へ張り出す張出部１３が設けられている。各握り棒１１Ｌ，１１Ｒにより、マッサージ室７内における手の水平方向の位置決めが行われ、溝１２により高さ方向の位置決めが行われ、張出部１３により各握り棒１１Ｌ，１１Ｒの周方向の位置決めが行われる。【選択図】図４
2009219782.tif 000002
【特許請求の範囲】
【請求項１】
使用者が内部に手を差し込むための差込口を有した容器と、
該容器内に差し込まれた手に噴出水を当てて手をマッサージする吐水ノズルと
を有するマッサージ器であって、
該容器内に、手を該吐水ノズルからの噴出水が当たる位置に位置させるための手の位置決め手段が設けられていることを特徴とするマッサージ器。
【請求項２】
請求項１において、前記手の位置決め手段は、該容器内に設置された、使用者が手で握るための握り棒を備えていることを特徴とするマッサージ器。
【請求項３】
請求項２において、該握り棒の軸心線方向の所定位置において、該握り棒の外周面に、指を掛けるための溝が設けられていることを特徴とするマッサージ器。
【請求項４】
請求項２又は３において、該握り棒の周方向の所定位置において、該握り棒の外周面から張り出した張出部が設けられていることを特徴とするマッサージ器。
【請求項５】
請求項２ないし４のいずれか１項において、前記吐水ノズルは、該握り棒を握った手に向って水を噴出するように設置されていることを特徴とするマッサージ器。
【請求項６】
請求項２ないし５のいずれか１項において、該握り棒は、その軸心線方向の鉛直方向又は水平方向に対する角度を調整可能に構成されており、
前記吐水ノズルは、該握り棒の角度調整に連動して移動するように構成されていることを特徴とするマッサージ器。
【請求項７】
請求項６において、該握り棒は、使用者が手で押すことにより屈曲させることが可能な材質よりなり、
該吐水ノズルは、該握り棒に設置されていることを特徴とするマッサージ器。
【請求項８】
請求項７において、該握り棒は、エラストマーよりなることを特徴とするマッサージ器。
【請求項９】
請求項２ないし８のいずれか１項において、該握り棒に、前記吐水ノズルからの噴出水の噴出頻度、噴出強さ、噴出方向及び水温の少なくとも１つを調整するためのスイッチが設けられていることを特徴とするマッサージ器。
【請求項１０】
請求項１において、前記手の位置決め手段は、前記容器内に設置された基板部と、
該基板部の上面から突設された、使用者が掌を載せる張出部と、
該基板部のうち、該張出部に掌を載せた状態において各指の指先が重なる位置に設けられた、該基板部を貫通する指挿入口と
を備えていることを特徴とするマッサージ器。
【請求項１１】
請求項１０において、前記吐水ノズルは、該基板部の下方において、該指挿入口に挿入された各指の指先に向って水を噴出するように設置されていることを特徴とするマッサージ器。
【請求項１２】
請求項１０又は１１において、該張出部は、使用者が手で押すことにより下方へ湾曲させることが可能な材質よりなることを特徴とするマッサージ器。
【請求項１３】
請求項１２において、該張出部は、エラストマーよりなることを特徴とするマッサージ器。
【請求項１４】
請求項１０ないし１３のいずれか１項において、該張出部に、前記吐水ノズルからの噴出水の噴出頻度、噴出強さ、噴出方向及び水温の少なくとも１つを調整するためのスイッチが設けられていることを特徴とするマッサージ器。
【請求項１５】
請求項１において、前記手の位置決め手段は、前記容器内に設置された基板部と、
該基板部の上面に形成された、使用者の手が嵌合可能な手形状の凹部と
を備えていることを特徴とするマッサージ器。
【請求項１６】
請求項１５において、前記吐水ノズルは、該凹部に嵌合した使用者の手に向って水を噴出するように設置されていることを特徴とするマッサージ器。
【請求項１７】
請求項１６において、前記吐水ノズルは、該凹部に嵌合した使用者の手の側面に向って水を噴出するように設置されていることを特徴とするマッサージ器。
【請求項１８】
請求項１６において、前記吐水ノズルは、該凹部に嵌合した使用者の手の上方から、各指の指先から掌又は甲にかけて噴出水を当てるように構成されていることを特徴とするマッサージ器。
【請求項１９】
請求項１８において、前記吐水ノズルは、各指の延在方向に沿って前後進可能に、又は揺動可能に設置されており、
該吐水ノズルからの噴出水が各指の指先から掌又は甲にかけて当たるように該吐水ノズルを前後進又は揺動させる駆動装置が設けられていることを特徴とするマッサージ器。
【請求項２０】
請求項１８において、該吐水ノズルは、各指の指先から掌又は甲まで連続する帯状の噴出水を噴出するように構成されていることを特徴とするマッサージ器。
【請求項２１】
請求項１５ないし２０のいずれか１項において、前記基板部は、上下方向に回動可能に設置されており、且つその重心位置からずれた位置に回動軸を有していることを特徴とするマッサージ器。
【請求項２２】
請求項１５ないし２１のいずれか１項において、該凹部の底面に、該凹部内の水を排出するための排水口が設けられていることを特徴とするマッサージ器。
【請求項２３】
請求項１５ないし２２のいずれか１項において、該凹部は、使用者が手で押すことにより下方へ湾曲させることが可能な材質よりなることを特徴とするマッサージ器。
【請求項２４】
請求項２３において、該凹部はエラストマーよりなることを特徴とするマッサージ器。
【請求項２５】
請求項１５ないし２４のいずれか１項において、該凹部に、前記吐水ノズルからの噴出水の噴出頻度、噴出強さ、噴出方向及び水温の少なくとも１つを調整するためのスイッチが設けられていることを特徴とするマッサージ器。
【発明の詳細な説明】
【技術分野】
【０００１】
本発明は、手に水を当てて手をマッサージするマッサージ器に関する。
【背景技術】
【０００２】
手に水を当てて手をマッサージするマッサージ器として、特開平１０−２６３０３２号公報に記載されたものがある。
【０００３】
同号公報のマッサージ器は、内部にシャワー室を有しており、側面に該シャワー室内への手の挿入口が設けられた容器（同号公報では呼称なし。）と、該容器内に設置された貯水タンク及び湯沸装置と、シャワー室の天井面に設置された、該湯沸装置からの温水を下方に向って噴出するシャワー等を備えている。
【０００４】
同号公報のマッサージ器により手をマッサージする場合には、手を容器の側面の挿入口からシャワー室内に差し込み、シャワーから噴出した温水を手に当てて手をマッサージする。
【０００５】
同号公報にあっては、シャワー室内は、挿入口から該シャワー室内に挿入した手を、引っ繰り返したり、握ったり開いたりして自由に動かすことができるスペースとなっている。
【特許文献１】特開平１０−２６３０３２号公報
【発明の開示】
【発明が解決しようとする課題】
【０００６】
上記特開平１０−２６３０３２号公報のマッサージ器にあっては、シャワー室内に差し込んだ手にシャワーからの噴出水を当てるために、容器の側面に設けられた覗き窓を覗きながら、又は手に当たる水の感触を頼りに、噴出水の落下地点まで手を移動させなければならない。また、噴出水の落下地点まで手を移動させた後、手がこの地点からずれないように注意を払い続けなければならない。
【０００７】
本発明は、容器内に差し込まれた手を容易に且つ確実に噴出水が当たる位置に位置させることができるマッサージ器を提供することを目的とする。
【課題を解決するための手段】
【０００８】
請求項１のマッサージ器は、使用者が内部に手を差し込むための差込口を有した容器と、該容器内に差し込まれた手に噴出水を当てて手をマッサージする吐水ノズルとを有するマッサージ器であって、該容器内に、手を該吐水ノズルからの噴出水が当たる位置に位置させるための手の位置決め手段が設けられていることを特徴とするものである。
【０００９】
請求項２のマッサージ器は、請求項１において、前記手の位置決め手段は、該容器内に設置された、使用者が手で握るための握り棒を備えていることを特徴とするものである。
【００１０】
請求項３のマッサージ器は、請求項２において、該握り棒の軸心線方向の所定位置において、該握り棒の外周面に、指を掛けるための溝が設けられていることを特徴とするものである。
【００１１】
請求項４のマッサージ器は、請求項２又は３において、該握り棒の周方向の所定位置において、該握り棒の外周面から張り出した張出部が設けられていることを特徴とするものである。
【００１２】
請求項５のマッサージ器は、請求項２ないし４のいずれか１項において、前記吐水ノズルは、該握り棒を握った手に向って水を噴出するように設置されていることを特徴とするものである。
【００１３】
請求項６のマッサージ器は、請求項２ないし５のいずれか１項において、該握り棒は、その軸心線方向の鉛直方向又は水平方向に対する角度を調整可能に構成されており、前記吐水ノズルは、該握り棒の角度調整に連動して移動するように構成されていることを特徴とするものである。
【００１４】
請求項７のマッサージ器は、請求項６において、該握り棒は、使用者が手で押すことにより屈曲させることが可能な材質よりなり、該吐水ノズルは、該握り棒に設置されていることを特徴とするものである。
【００１５】
請求項８のマッサージ器は、請求項７において、該握り棒は、エラストマーよりなることを特徴とするものである。
【００１６】
請求項９のマッサージ器は、請求項２ないし８のいずれか１項において、該握り棒に、前記吐水ノズルからの噴出水の噴出頻度、噴出強さ、噴出方向及び水温の少なくとも１つを調整するためのスイッチが設けられていることを特徴とするものである。
【００１７】
請求項１０のマッサージ器は、請求項１において、前記手の位置決め手段は、前記容器内に設置された基板部と、該基板部の上面から突設された、使用者が掌を載せる張出部と、該基板部のうち、該張出部に掌を載せた状態において各指の指先が重なる位置に設けられた、該基板部を貫通する指挿入口とを備えていることを特徴とするものである。
【００１８】
請求項１１のマッサージ器は、請求項１０において、前記吐水ノズルは、該基板部の下方において、該指挿入口に挿入された各指の指先に向って水を噴出するように設置されていることを特徴とするものである。
【００１９】
請求項１２のマッサージ器は、請求項１０又は１１において、該張出部は、使用者が手で押すことにより下方へ湾曲させることが可能な材質よりなることを特徴とするものである。
【００２０】
請求項１３のマッサージ器は、請求項１２において、該張出部は、エラストマーよりなることを特徴とするものである。
【００２１】
請求項１４のマッサージ器は、請求項１０ないし１３のいずれか１項において、該張出部に、前記吐水ノズルからの噴出水の噴出頻度、噴出強さ、噴出方向及び水温の少なくとも１つを調整するためのスイッチが設けられていることを特徴とするものである。
【００２２】
請求項１５のマッサージ器は、請求項１において、前記手の位置決め手段は、前記容器内に設置された基板部と、該基板部の上面に形成された、使用者の手が嵌合可能な手形状の凹部とを備えていることを特徴とするものである。
【００２３】
請求項１６のマッサージ器は、請求項１５において、前記吐水ノズルは、該凹部に嵌合した使用者の手に向って水を噴出するように設置されていることを特徴とするものである。
【００２４】
請求項１７のマッサージ器は、請求項１６において、前記吐水ノズルは、該凹部に嵌合した使用者の手の側面に向って水を噴出するように設置されていることを特徴とするものである。
【００２５】
請求項１８のマッサージ器は、請求項１６において、前記吐水ノズルは、該凹部に嵌合した使用者の手の上方から、各指の指先から掌又は甲にかけて噴出水を当てるように構成されていることを特徴とするものである。
【００２６】
請求項１９のマッサージ器は、請求項１８において、前記吐水ノズルは、各指の延在方向に沿って前後進可能に、又は揺動可能に設置されており、該吐水ノズルからの噴出水が各指の指先から掌又は甲にかけて当たるように該吐水ノズルを前後進又は揺動させる駆動装置が設けられていることを特徴とするものである。
【００２７】
請求項２０のマッサージ器は、請求項１８において、該吐水ノズルは、各指の指先から掌又は甲まで連続する帯状の噴出水を噴出するように構成されていることを特徴とするものである。
【００２８】
請求項２１のマッサージ器は、請求項１５ないし２０のいずれか１項において、前記基板部は、上下方向に回動可能に設置されており、且つその重心位置からずれた位置に回動軸を有していることを特徴とするものである。
【００２９】
請求項２２のマッサージ器は、請求項１５ないし２１のいずれか１項において、該凹部の底面に、該凹部内の水を排出するための排水口が設けられていることを特徴とするものである。
【００３０】
請求項２３のマッサージ器は、請求項１５ないし２２のいずれか１項において、該凹部は、使用者が手で押すことにより下方へ湾曲させることが可能な材質よりなることを特徴とするものである。
【００３１】
請求項２４のマッサージ器は、請求項２３において、該凹部はエラストマーよりなることを特徴とするものである。
【００３２】
請求項２５のマッサージ器は、請求項１５ないし２４のいずれか１項において、該凹部に、前記吐水ノズルからの噴出水の噴出頻度、噴出強さ、噴出方向及び水温の少なくとも１つを調整するためのスイッチが設けられていることを特徴とするものである。
【発明の効果】
【００３３】
本発明のマッサージ器にあっては、容器内に、手を吐水ノズルからの噴出水が当たる位置に位置させるための手の位置決め手段が設けられているので、容器内に差し込まれた手を容易に且つ確実に噴出水が当たる位置に位置させることができる。
【００３４】
請求項２の態様にあっては、容器内に設置された握り棒を使用者が手で握ることにより、手の位置決めが行われる。
【００３５】
請求項３の態様にあっては、握り棒の外周面に設けられた溝に所定の指を掛けるようにして握り棒を握ることにより、該握り棒の軸心線方向における手の位置決めが行われる。
【００３６】
請求項４の態様にあっては、握り棒の外周面から張り出した張出部を手の所定の箇所（例えば人差し指と親指との間の股部や、各指の関節部など）に当てるようにして握り棒を握ることにより、該握り棒の周方向における手の位置決めが行われる。
【００３７】
これらの握り棒、溝及び張出部は、いずれも使用者が手で触れることにより位置を感取することができるので、使用者が容器内を視認できなくても、容易に且つ確実に手の位置決めを行うことが可能である。
【００３８】
請求項５のように、この握り棒を握った手に向って水を噴出するように吐水ノズルを設置することにより、確実に手に噴出水を当てて手をマッサージすることができる。
【００３９】
請求項６の態様にあっては、握り棒を使用者の好みの角度に調整することができる。また、この際、吐水ノズルが握り棒の角度調整に連動して移動するので、握り棒の角度調整を行った後、吐水ノズルの位置調整を行わなくとも、該吐水ノズルからの噴出水が手に当たるようになる。
【００４０】
この場合、請求項７のように、握り棒を、使用者が手で押すことにより屈曲させることが可能な材質にて構成することにより、使用者は手で握り棒を握ったまま、握り棒を好みの角度に調整することができる。また、吐水ノズルを握り棒に設置することにより、該吐水ノズルを握り棒の屈曲に追従させて移動させることができる。
【００４１】
請求項８の通り、この握り棒の材質としては、エラストマーが好適である。
【００４２】
請求項９の態様にあっては、握り棒に、吐水ノズルからの噴出水の噴出頻度、噴出強さ、噴出方向及び水温の少なくとも１つを調整するためのスイッチが設けられているので、このスイッチ操作の後に握り棒の位置がわからなくなることが防止される。
【００４３】
請求項１０の態様にあっては、容器内に設置された基板部の張出部に掌を載せると共に、この張出部の近傍の指挿入口に各指を挿入することにより、手の位置決めが行われる。
【００４４】
これらの張出部及び指挿入口は、いずれも使用者が手で触れることにより位置を感取することができるので、使用者が容器内を視認できなくても、容易に且つ確実に手の位置決めを行うことが可能である。
【００４５】
請求項１１のように、この指挿入口に挿入された各指の指先に向って水を噴出するように吐水ノズルを設置することにより、各指の指先に確実に噴出水を当てて指先をマッサージすることができる。
【００４６】
請求項１２のように、張出部を、使用者が手で押すことにより下方へ湾曲させることが可能な材質にて構成することにより、使用者は掌を張出部に載せ、且つ各指を指挿入口に挿入したまま、手の高さ調整を行うことができる。
【００４７】
請求項１３の通り、この張出部の材質としては、エラストマーが好適である。
【００４８】
請求項１４の態様にあっては、張出部に、吐水ノズルからの噴出水の噴出頻度、噴出強さ、噴出方向及び水温の少なくとも１つを調整するためのスイッチが設けられているので、このスイッチ操作の後に張出部の位置がわからなくなることが防止される。
【００４９】
請求項１５の態様にあっては、容器内に設置された基板部に手を載せ、この基板部の上面の凹部に手を嵌合させることにより、手の位置決めが行われる。この凹部は、使用者が手で触れることにより位置を感取することができる。また、この凹部は手形状となっているので、手の向きや各指の位置を直感的に把握することができる。これにより、使用者が容器内を視認できなくても、容易に且つ確実に手の位置決めを行うことが可能である。
【００５０】
請求項１６のように、この凹部に嵌合した手に向って水を噴出するように吐水ノズルを設置することにより、確実に手に噴出水を当てて手をマッサージすることができる。
【００５１】
この場合、請求項１７のように、該凹部に嵌合した使用者の手の側面に噴出水を当てるように構成してもよく、請求項１８のように、該凹部に嵌合した使用者の手の上方から、各指の指先から掌又は甲にかけて噴出水を当てるように構成してもよい。
【００５２】
この請求項１８の態様においては、請求項１９のように、吐水ノズルを各指の延在方向に沿って前後進可能に又は揺動可能に設置し、この吐水ノズルからの噴出水が各指の指先から掌又は甲にかけて当たるように該吐水ノズルを前後進又は揺動させる駆動装置を設けてもよい。あるいは、請求項２０のように、吐水ノズルを、各指の指先から掌又は甲まで連続する帯状の噴出水を噴出するように構成してもよい。
【００５３】
請求項２１の態様にあっては、使用者が凹部から手を離すと、基板部がその自重により回動して傾斜した姿勢となる。これにより、凹部内から水が排出され、凹部内を衛生的に保つことができる。
【００５４】
請求項２２のように、凹部の底面に、該凹部内の水を排出するための排水口が設けられてもよい。
【００５５】
請求項２３のように、凹部を、使用者が手で押すことにより下方へ湾曲させることが可能な材質にて構成することにより、使用者は手を凹部に嵌合させたまま、手の高さ調整を行うことができる。
【００５６】
請求項２４の通り、この凹部の材質としては、エラストマーが好適である。
【００５７】
請求項２５の態様にあっては、凹部に、吐水ノズルからの噴出水の噴出頻度、噴出強さ、噴出方向及び水温の少なくとも１つを調整するためのスイッチが設けられているので、このスイッチ操作の後に凹部の位置がわからなくなることが防止される。
【発明を実施するための最良の形態】
【００５８】
以下に、図面を参照して本発明の実施の形態について説明する。
【００５９】
第１図は実施の形態に係るマッサージ器の全体斜視図、第２図（ａ）はこのマッサージ器の座席の側面図、第２図（ｂ）はこの座席の上面図、第３図はこのマッサージ器の握り棒の斜視図、第４図は使用者がこの握り棒を握った状態を示す斜視図、第５図はこの握り棒と使用者の手との上面図、第６図はこの握り棒を曲げた状態を示す斜視図である。なお、第３〜６図には左手用の握り棒が図示されているが、右手用の握り棒はこの左手用の握り棒と左右対称の構成となっている。
【００６０】
以下の説明において、前後左右はマッサージ器使用者にとっての前後左右と一致する。
【００６１】
この実施の形態では、マッサージ器１は、床上に設置されるベース２と、該ベース２上に設置されたマッサージ器本体３と、該マッサージ器本体３と対面するように該ベース２上に設置された、マッサージ器使用者が座るための座席４等を備えている。
【００６２】
該マッサージ器本体３は、この実施の形態では、該ベース２の上面から立設された略円筒形のハウジング（容器）５を備えている。このハウジング５内は、下段のタンク収容室６と、中段のマッサージ室７と、上段のヘッダー室８とに分画されている。
【００６３】
このハウジング５は、水や薬効成分等に対する耐食性を有した材質よりなる。このハウジング５の材質としては、ポリカーボネート、ポリエチレンテレフタレート（ＰＥＴ）、ポリ塩化ビニル（ＰＶＣ）、ポリプロピレン（ＰＰ）、ポリエチレン（ＰＥ）、アクリル樹脂等が好ましい。また、このハウジング５は、各室６〜８間での漏水やハウジング５外への水の飛散が防止された防水構造となっている。なお、このハウジング５は、各室６〜８が一体に構成されたものであってもよく、各室６〜８ごとに別体に構成され、これらが上下多段に連結されたものであってもよい。
【００６４】
マッサージ室７の座席４側の側面には、この座席４に座った使用者が該マッサージ室７内に両手を差し込むための差込口９Ｌ，９Ｒが設けられている。これらの差込口９Ｌ，９Ｒは、ハウジング５の周方向に位置を異ならせて配置されている。また、これらの差込口９Ｌ，９Ｒは、座席４に座った使用者が楽な姿勢にて両手をそれぞれ該差込口９Ｌ，９Ｒに差し込みうる高さに配置されている。各差込口９Ｌ，９Ｒの径は１００〜２００ｍｍ、特に１２０〜１５０ｍｍであることが好ましい。ベース２の上面から各差込口９Ｌ，９Ｒの中心までの高さは６００〜９００ｍｍ、特に７００〜８００ｍｍであることが好ましい。また、差込口９Ｌ，９Ｒの中心同士の間隔は２５０〜６００ｍｍ、特に３００〜５００ｍｍであることが好ましい。
【００６５】
各差込口９Ｌ，９Ｒには、これらに手が差し込まれていないときにはこれらを閉鎖していると共に、これらに手が差し込まれたときには該手（又は腕）とこれらの内周縁との間を塞ぐように構成されたシール部材１０が設けられている。この実施の形態では、該シール部材１０は、各差込口９Ｌ，９Ｒを覆ったゴムシートよりなる。このゴムシートには、各差込口９Ｌ，９Ｒの中心付近から放射状にスリットが設けられており、このスリットを押し広げるようにして手をマッサージ室７に差し込みうるようになっている。手を引き抜くと、このスリットが閉じて差込口９Ｌ，９Ｒが閉鎖状態となる。なお、シール部材１０の構成はこれに限定されない。
【００６６】
この実施の形態では、マッサージ室７内に、手の位置決め手段として、使用者が両手で握るための１対の握り棒１１Ｌ，１１Ｒが設けられている。これらの握り棒１１Ｌ，１１Ｒは、左右に位置を異ならせて配置されており、使用者は左側の握り棒１１Ｌを左手で握り、右側の握り棒１１Ｒを右手で握る。
【００６７】
この実施の形態では、各握り棒１１Ｌ，１１Ｒは、それぞれマッサージ室７の底面から立設されている。第３図の符号１１ａは、各握り棒１１Ｌ，１１Ｒの下端に設けられた、マッサージ室７の底面に重なるベースプレートを示している。このベースプレート１１ａがマッサージ室７の底面の所定位置に重ね合わされてビス又はボルト（図示略）等により該底面に固定されている。なお、握り棒１１Ｌ，１１Ｒは、マッサージ室７の天井面から下方へ立設されたものであってもよく、マッサージ室７の側面に支持されたものであってもよい。
【００６８】
左側の差込口９Ｌから左側の握り棒１１Ｌまでの距離は５０〜２００ｍｍ、特に１００〜１５０ｍｍであることが好ましく、右側の差込口９Ｒから右側の握り棒１１Ｒまでの距離は５０〜２００ｍｍ、特に１００〜１５０ｍｍであることが好ましい。
【００６９】
使用者が両手で握り棒１１Ｌ，１１Ｒをそれぞれ握ることにより、この両手のマッサージ室７内における水平方向の位置決めが行われる。
【００７０】
各握り棒１１Ｌ，１１Ｒの外周面には、それぞれ所定高さに溝１２が周設されている。この実施の形態では、第４図に示す通り、使用者は親指及び人差し指をこの溝１２に引っ掛けるようにして各握り棒１１Ｌ，１１Ｒを握る。これにより、両手の高さ方向の位置決めが行われる。なお、親指及び人差し指が引っ掛かる溝１２だけでなく、上下に位置を異ならせて中指、薬指、小指がそれぞれ引っ掛かる溝も設けられてもよい。
【００７１】
この実施の形態では、各握り棒１１Ｌ，１１Ｒに、該握り棒１１Ｌ，１１Ｒの外周面から側方へ張り出す張出部１３が設けられている。なお、第５図に示すように、この張出部１３の外面は各握り棒１１Ｌ，１１Ｒの外周面と滑らかに連続しており、各握り棒１１Ｌ，１１Ｒは、いわゆる卵形の断面形状となっている。左側の握り棒１１Ｌの張出部１３は左側の差込口９Ｌ側へ向って張り出しており、右側の握り棒１１Ｒの張出部１３は右側の差込口９Ｒ側へ向って張り出している。第５図の通り、この張出部１３は、使用者の手の親指と人差し指との間の股部にフィットする形状となっている。この張出部１３が親指と人差し指との間の股部に当るように使用者が各握り棒１１Ｌ，１１Ｒを握ることにより、各握り棒１１Ｌ，１１Ｒの周方向における両手の位置決めが行われる。
【００７２】
なお、これらの握り棒１１Ｌ，１１Ｒ、溝１２及び張出部１３は、いずれも使用者が手で触れることにより位置を感取することができるので、使用者がマッサージ室７内を視認できなくても、容易に且つ確実に両手の位置決めを行うことが可能である。
【００７３】
この実施の形態では、各握り棒１１Ｌ，１１Ｒは比較的柔軟な材質よりなり、第６図の如く、使用者が手で押すことにより、各握り棒１１Ｌ，１１Ｒを前後左右に屈曲させうるように構成されている。このように握り棒１１Ｌ，１１Ｒを屈曲させることにより、該握り棒１１Ｌ，１１Ｒの角度を使用者の好みの角度とすることができる。この握り棒１１Ｌ，１１Ｒの材質としては、エラストマーが好適であるが、これに限定されない。
【００７４】
この実施の形態では、各握り棒１１Ｌ，１１Ｒに、それぞれ、該握り棒１１Ｌ，１１Ｒを握った手に噴出水を当てて手をマッサージするための吐水ノズル１４が設けられている。第４，５図の通り、この実施の形態では、該吐水ノズル１４は、溝１２よりも上方の張出部１３側の側面に設けられている。この吐水ノズル１４は、第４図の如く、該溝１２に親指と人差し指とを掛け、且つこの親指と人差し指との間の股部に張出部１３を当てるようにして各握り棒１１Ｌ，１１Ｒを手で握った状態において、この手の親指の付け根と人差し指の付け根との中間付近に向って水を噴出するように構成されている。
【００７５】
なお、このように吐水ノズル１４を各握り棒１１Ｌ，１１Ｒに設けたことにより、第６図のように各握り棒１１Ｌ，１１Ｒを屈曲させた場合には、各握り棒１１Ｌ，１１Ｒと一体的に吐水ノズル１４が移動する。そのため、各握り棒１１Ｌ，１１Ｒを屈曲させても、該吐水ノズル１４からは、各握り棒１１Ｌ，１１Ｒを握った手の親指の付け根と人差し指の付け根との中間付近に向って水が噴出する。
【００７６】
各握り棒１１Ｌ，１１Ｒ内には、後述の給水タンク２０からこの吐水ノズル１４に噴出水を供給するための給水路１５が設けられている。この実施の形態では、該給水路１５は、各握り棒１１Ｌ，１１Ｒの屈曲に追従して屈曲可能なフレキシブルホースよりなる。
【００７７】
図示は省略するが、握り棒１１Ｌ，１１Ｒの少なくとも一方には、吐水ノズル１４からの水の噴出及び噴出停止を切り替えるＯＮ／ＯＦＦスイッチと、この噴出水の噴出頻度、噴出強さ、噴出方向及び水温の少なくとも１つを調整又は切り替えるためのスイッチが設けられている。なお、このＯＮ／ＯＦＦスイッチとして、各握り棒１１Ｌ，１１Ｒに感圧センサ（図示略）を設け、使用者が握り棒１１Ｌ，１１Ｒを手で握ったことを該感圧センサが検知したときに吐水ノズル１４から水が噴出するように構成してもよい。
【００７８】
第１図に示すように、この実施の形態では、各握り棒１１Ｌ，１１Ｒの前方にも、該握り棒１１Ｌ，１１Ｒを握った両手に向ってそれぞれ水を噴出する吐水ノズル１６Ｌ，１６Ｒが設けられている。この吐水ノズル１６Ｌ，１６Ｒからの水の噴出のＯＮ／ＯＦＦの切り替え、並びに噴出水の噴出頻度、噴出強さ、噴出方向及び水温の調整又は切り替えは、握り棒１１Ｌ，１１Ｒに設けられたスイッチにより行われてもよく、別途設けられたスイッチにより行われてもよい。なお、この吐水ノズル１６Ｌ，１６Ｒは省略されてもよい。
【００７９】
マッサージ室７の底面には、各吐水ノズル１４，１６Ｌ，１６Ｒから吐出された水を排出するための排水口１７が設けられている。
【００８０】
この実施の形態では、マッサージ室７の天井面には、該マッサージ室７内を昇温させるための加熱ランプ１８と、該マッサージ室７内に紫外線を照射して該マッサージ室７内を殺菌するための殺菌ランプ１９とが設けられている。
【００８１】
なお、この実施の形態では、マッサージ室７内に手が差し込まれたことを検知する手検知センサ（図示略）が設けられており、マッサージ室７内に手が差し込まれたことが該手検知センサにより検知されると、自動的に加熱ランプ１８が点灯してマッサージ室７内が暖められ、手が検地されなくなると、加熱ランプ１８が消灯すると共に、殺菌ランプ１９が点灯してマッサージ室７内の殺菌が行われるように構成されている。
【００８２】
このマッサージ室７の下側のタンク収容室６内には、各吐水ノズル１４，１６Ｌ，１６Ｒに供給される水が貯留された給水タンク２０と、排水口１７から排出された水を溜めておくための排水タンク２１と、後述の気体散布ノズル３０に供給される気体が充填された気体タンク２２等が収容されている。この実施の形態では、気体タンク２２内に気体として酸素富加空気が充填されている。
【００８３】
該給水タンク２０からポンプ２３を介して各吐水ノズル１４，１６Ｌ，１６Ｒにそれぞれ給水管２４が接続されている。この実施の形態では、該給水タンク２０は水を温めるヒータ（図示略）を備えており、該給水タンク２０から各吐水ノズル１４，１６Ｌ，１６Ｒに温水を供給可能となっている。この温水の水温は、前述の握り棒１１Ｌ，１１Ｒに設けられたスイッチ又は後述の操作パネル３２を操作することにより調整可能となっている。
【００８４】
マッサージ室７の排水口１７と排水タンク２１とは排水管２５により接続されている。符号２６は、この排水管２５に設けられた開閉弁を示している。
【００８５】
気体散布ノズル３０と気体タンク２２とは給気管２７により接続されている。
【００８６】
この実施の形態では、該タンク収容室６の座席４側の側面に、この座席４に座った使用者の脚部を温めるための脚部加温装置２８が設けられている。この脚部加温装置２８は、使用者の体格や着座姿勢に合わせて前後、左右及び上下に位置変更可能となっている。
【００８７】
この実施の形態では、ヘッダー室８は、第１図に示すように、座席４に座った使用者の頭部の前方に位置する高さに設置されている。
【００８８】
このヘッダー室８の座席４側の側面には、使用者の頭部を受け止めるための頭部支持部材２９が設けられている。この頭部支持部材２９は、座席４に座った使用者の額付近に対面する高さに配置されている。なお、この頭部支持部材２９は、使用者の体格等に合わせて上下に位置変更可能に設けられていてもよい。この頭部支持部材２９は、発泡ウレタン等のクッション材よりなるが、この頭部支持部材２９の材質に特に制限はない。
【００８９】
この実施の形態では、該頭部支持部材２９の前面に、カバーシート（図示略）が貼り付けられるようになっている。
【００９０】
このヘッダー室８の座席４側の側面のうち、座席４に座った使用者の口又は鼻孔と対面する高さ付近には、該使用者に向って気体を噴出する気体散布ノズル３０が設けられている。
【００９１】
なお、この実施の形態では、ヘッダー室８の座席４側の側面のうち頭部支持部材２９よりも下側の部分は、第１図の如く使用者の顔面から離隔するように後方へ後退した凹所となっている。この凹所の下側の段差面は、頭部支持部材２９に額を当ててうつむいた状態の使用者の顔面と正対しうるように、該使用者側ほど下位となる傾斜面となっている。この傾斜面に気体散布ノズル３０が設置されている。
【００９２】
この実施の形態では、気体散布ノズル３０には香りシート設置部３１が設けられており、使用者がこの香りシート設置部３１に、好みの香りを発する香りシート（図示略）、即ち芳香剤を設置することができるようになっている。この香りシート設置部３１に香りシートを設置して気体散布ノズル３０から気体を噴出させると、この気体散布ノズル３０から香り付きの気体が噴出するようになる。
【００９３】
前述の通り、この実施の形態では、この気体散布ノズル３０に気体を供給するための気体タンク２２には酸素富加空気が充填されているが、これ以外の気体が充填されてもよい。
【００９４】
頭部支持部材２９の下側の凹所の奥側面には、このマッサージ器１に装備された各機器を操作するための操作パネル３２が設けられている。詳しい図示は省略するが、この実施の形態では、該操作パネル３２には、使用者を識別するためのＩＤカードを読み取るカード読取機と、各機器の操作スイッチが表示されるタッチパネル式のディスプレーとが設けられている。
【００９５】
第１図に示すように、この実施の形態では、ヘッダー室８の上部に、上方から使用者の頭部に被さるフード３３が取り付けられている。このフード３３は、使用者の頭部を首付近まですっぽりと覆う大きさとなっている。このフード３３は、上下動可能に該ヘッダー室８に取り付けられている。
【００９６】
このフード３３の後部の下縁部には、使用者の首を温めるためのヒータ３４が設けられている。このヒータ３４は、使用者の首の左右の側面及び後面を取り囲むように配設されている。また、このフード３３の後部内面には、指向性スピーカ３５が設けられている。
【００９７】
このフード３３は、遮音性を有する材質にて構成されている。このフード３３の材質としては、ポリカーボネート、ポリエチレンテレフタレート（ＰＥＴ）、ガラス繊維強化プラスチック（ＦＲＰ）が好適である。
【００９８】
なお、このフード３３の代わりに、使用者が遮音型ヘッドフォン（図示略）を装着するようにしてもよい。
【００９９】
ヘッダー室８内には、音響装置及び通信装置（いずれも図示略）と、前記操作パネル３２のスイッチ操作に基づいて各機器の作動を制御する制御回路（図示略）とを備えた制御ユニット３６が設置されている。
【０１００】
座席４は、ベース２から立設された脚部３７と、ヒンジ３８を介して該脚部３７の上部に前後方向に回動可能に連結された座部３９等を備えている。
【０１０１】
第２図（ａ）に示すように、該脚部３７の下端にはスライド支持部４０が設けられている。ベース２の上面には、前後方向に延在するガイド溝４１が設けられており、このガイド溝４１にスライド支持部４０が前後方向移動可能に係合している。
【０１０２】
座部３９は、使用者が腰掛ける座面４２と、該座面４２の後部から立ち上がる背凭れ４３とを有している。該座面４２の表面にはクッション材４４が設けられている。
【０１０３】
第２図（ｂ）に示すように、該座面４２は、略Ｕ字形の平面視形状を有しており、その左右方向の中央部が前方に向って開放した凹所４２ａとなっている。この実施の形態では、座席４を前進させると、ハウジング５の下部即ちタンク収容室６がこの凹所４２ａ内に入り込むように構成されている。即ち、この実施の形態では、マッサージ器１の非使用時には、座席４をハウジング５に密着させてコンパクトに収納することができるようになっている。
【０１０４】
ベース２上には、座席４に座った使用者が足を置くフットレスト４５が設けられている。
【０１０５】
このように構成されたマッサージ器１の使用方法について次に説明する。
【０１０６】
まず、座席４を好みの位置及び角度として該座席４に腰掛ける。次に、操作パネル３２のカード読取機に各自のＩＤカードを読み取らせ、個人認証を受ける。次いで、操作パネル３２のタッチパネルを操作して温水や各ヒータの温度、作動時間など、各機器の作動条件や、好みの音楽等を入力する。また、香りシート設置部３１に香りシートを設置すると共に、頭部支持部材２９の前面にカバーシートを貼り付ける。
【０１０７】
その後、フード３３を下ろして頭に被せる。そして、両手を各差込口９Ｌ，９Ｒからマッサージ室７内に差し込んで各握り棒１１Ｌ，１１Ｒを握ると共に、額を頭部支持部材２９に当てる。このとき、手検知センサがこの手の進入を検知して加熱ランプ１８が点灯し、マッサージ室７内が暖められる。その後、握り棒１１Ｌ，１１Ｒのスイッチを操作して各吐水ノズル１４，１６Ｌ，１６Ｒから水（温水）を噴出させ、この噴出水を手に当てて手をマッサージする。該吐水ノズル１４からは、握り棒１１Ｌ，１１Ｒを握った手の親指の付け根と人差し指の付け根との中間付近に向って水が噴出されるため、該吐水ノズル１４からの噴出水によりこの部分のツボが刺激される。
【０１０８】
この際、気体散布ノズル３０から好みの香り付きの酸素富加空気が噴出する。また、フード３３により周囲の雑音等が遮断されると共に、該フード３３内の指向性スピーカ３５から好みの音楽が流れる。さらに、脚部加温装置２８により脚部が温められ、ヒータ３４により首が温められる。これにより、高いリラクゼーション効果が得られる。
【０１０９】
所定時間（例えば１０分程度）経過すると、各機器の作動が停止する。その後、両手をマッサージ室７から抜き出すと、手検知センサがこれを検知して加熱ランプ１８が消灯すると共に、殺菌ランプ１９が点灯してマッサージ室７内の殺菌が行われる。
【０１１０】
このマッサージ器１にあっては、使用者が両手でそれぞれ握り棒１１Ｌ，１１Ｒを握ることにより、この両手のマッサージ室７内における水平方向の位置決めが行われる。また、この際、両手の親指及び人差し指を各握り棒１１Ｌ，１１Ｒの外周面の溝１２に引っ掛けることにより、両手の高さ方向の位置決めが行われる。さらに、各握り棒１１Ｌ，１１Ｒの側周面から張り出した張出部１３を両手の親指と人差し指との間の股部に当てることにより、各握り棒１１Ｌ，１１Ｒの周方向における両手の位置決めが行われる。これにより、両手を容易に且つ確実に各吐水ノズル１４，１６Ｌ，１６Ｒからの噴出水が当たる位置に位置させて両手をマッサージすることができる。
【０１１１】
なお、この実施の形態では、座席４、脚部加温装置２８及びフード３３を手動で好みの位置及び角度まで移動させるように構成しているが、これらが自動的に指定の位置まで移動するように構成してもよい。例えば、カード読取機で各使用者のＩＤカードを読み取ったときに、座席４、脚部加温装置２８及びフード３３が、それぞれ予め各使用者が登録しておいた位置及び角度まで自動的に移動するように構成してもよい。
【０１１２】
マッサージ室７を昇降可能に設置し、差込口９Ｌ，９Ｒの配置高さを調節しうるように構成してもよい。
【０１１３】
第７図は、手の位置決め手段の別の構成例を示す平面図であり、第８図は第７図のVIII−VIII線に沿う断面図である。
【０１１４】
この実施の形態では、手の位置決め手段として、マッサージ室７内に、使用者が両手をそれぞれ載せる１対の手支持部材５０が設けられている。第７，８図は、右手用手支持部材５０を示している。左手用手支持部材５０は、この右手用手支持部材５０と左右対称の構成となっている。
【０１１５】
この手支持部材５０は、使用者が上方から手を重ねる基板部５１と、該基板部５１から上方に張り出した略半円球状の張出部５２と、該基板部５１を上下方向に貫通した指挿入口５３ａ，５３ｂ，５３ｃ，５３ｄ，５３ｅ等を有している。該張出部５２は、使用者が掌の中央部を当てて包み込むように保持するのに適した形状及び大きさとなっている。
【０１１６】
第７図の通り、指挿入口５３ａ〜５３ｅは、使用者が掌の中央部を該張出部５２に当てた状態において、それぞれ親指、人差し指、中指、薬指及び小指の指先が重なる位置に配置されている。第８図の通り、各指挿入口５３ａ〜５３ｅは、それぞれ、各指を挿入したときにその指先を第１関節付近まで基板部５１の下面側に露呈させうる形状及び大きさとなっている。
【０１１７】
この実施の形態では、該張出部５２はエラストマー製であり、使用者が手で張出部５２を下方へ押すことにより、該張出部５２が下方へ湾曲して手の高さ位置を調整しうるようになっている。なお、張出部５２の材質はこれに限定されない。
【０１１８】
マッサージ室７内には、この手支持部材５０が取り付けられるフランジ部５４（第８図）が該マッサージ室７の内周面から突設されている。手支持部材５０は、基板部５１の周縁部がこのフランジ５４に重ね合わされ、該周縁部のボルト挿通孔５５（第７図）を介してボルト５６及びナット５７（第８図）により該フランジ部５４に固定されている。
【０１１９】
この実施の形態では、第８図に示すように、手支持部材５０の下方に、各指挿入口５３ａ〜５３ｅに挿入されて該手支持部材５０の下面側に露呈した各指の指先に噴出水を当ててマッサージするための吐水ノズル６０が設けられている。この実施の形態では、該吐水ノズル６０は、各指の第１関節よりも先端側の腹部中央付近に向って水を噴出するように配置されている。符号６１は、前記給水タンク２０からこの吐水ノズル６０に水を供給するための給水管を示している。
【０１２０】
なお、親指用、人差し指用、中指用、薬指用、小指用として計５個の吐水ノズル６０を設置してもよく、１個の吐水ノズル６０を左右方向に移動可能に又は水の噴出方向を変更可能に設置し、共通の吐水ノズル６０で各指をマッサージするように構成してもよい。
【０１２１】
図示は省略するが、この実施の形態では、手支持部材５０の張出部５２に、吐水ノズル６０からの水の噴出及び噴出停止を切り替えるＯＮ／ＯＦＦスイッチと、この噴出水の噴出頻度、噴出強さ、噴出方向及び水温の少なくとも１つを調整又は変更するためのスイッチが設けられている。なお、このＯＮ／ＯＦＦスイッチとして、張出部５２に感圧センサ（図示略）を設け、使用者が張出部５２に手を載せたことを該感圧センサが検知したときに吐水ノズル６０から水が噴出するように構成してもよい。
【０１２２】
この手支持部材５０を備えたマッサージ器のその他の構成は、前述の実施の形態と同様である。
【０１２３】
このマッサージ器でマッサージを行なう場合、使用者は、両手をそれぞれ差込口９Ｌ，９Ｒからマッサージ室７内に差し込み、掌の中央部を各手支持部材５０の張出部５２に当て、各指をそれぞれ対応する各指挿入口５３ａ〜５３ｅに挿入する。その後、前記ＯＮ／ＯＦＦスイッチを操作して吐水ノズル６０から温水を噴出させ、この噴出水を各指の指先の腹に当てる。これにより、指先の腹のツボが刺激され、手がマッサージされる。このマッサージ器のその他の操作方法は前述の実施の形態と同様である。
【０１２４】
なお、この実施の形態の手支持部材５０にあっても、張出部５２及び各指挿入口５３ａ〜５３ｅは、いずれも使用者が手で触れることにより位置を感取することができるので、使用者がマッサージ室７内を視認できなくても、容易に且つ確実に両手の位置決めを行うことが可能である。
【０１２５】
第９図は、この手支持部材の変更例を示す断面図である。なお、第９図は第８図と同様部分の断面を示している。
【０１２６】
この第９図の手支持部材５０Ａにおいては、張出部５２の中央部に、基板部５１を上下方向に貫通する透孔５８が設けられている。この実施の形態では、該手支持部材５０Ａの下方に、該透孔５８を通して掌の中央部に水を当てるための吐水ノズル６０が増設されている。
【０１２７】
この手支持部材５０Ａのその他の構成及びこの手支持部材５０Ａを備えたマッサージ器のその他の構成は、前述の第７，８図の実施の形態と同様であり、第９図において第７，８図と同一符号は同一部分を示している。
【０１２８】
この実施の形態にあっては、各指の指先だけでなく、掌の中央部にも吐水ノズル６０からの噴出水を当ててマッサージすることができる。
【０１２９】
上記の第７，８図および第９図の各実施の形態では、各指の指先の腹側に吐水ノズル６０からの噴出水を当てるように構成しているが、第１０図のように、指先の側面に吐水ノズル６０からの噴出水を当てるように構成してもよい。
【０１３０】
この第１０図の実施の形態では、指挿入口５３に挿入されて手支持部材（符号略）の下面側に露出した指先の左右両側に吐水ノズル６０が設置されており、これらの吐水ノズル６０から指先の左右の側面に向ってそれぞれ水が噴出される。これにより、指先の左右の側面のツボが刺激されるようになる。
【０１３１】
第１１図は、手の位置決め手段のさらに別の構成例を示す平面図であり、第１２図（ａ），（ｂ）はそれぞれ第１１図のXII−XII線に沿う断面図である。なお、第１２図（ａ）は手支持部材に手を載せた状態を示し、第１２図（ｂ）は手支持部材から手を離した状態を示している。
【０１３２】
この実施の形態では、手の位置決め手段として、マッサージ室７内に、使用者が両手をそれぞれ載せる１対の手支持部材７０が設けられている。第１１，１２図は、右手用手支持部材７０を示している。左手用手支持部材７０は、この右手用手支持部材７０と左右対称の構成となっている。
【０１３３】
この手支持部材７０は、使用者が上方から手を重ねる基板部７１と、該基板部７１の上面に形成された、手の形状を模した手形の如き平面視形状の凹部７２と、該基板部７１の周縁部から立設された周壁部７３と、該基板部７１上から水を排出するための排出口７４等を備えている。この実施の形態では、基板部７１は、凹部７２の中指部分の先端側が最も前方に張り出した形状となっており、この基板部７１の前端部に排出口７４が配置されている。
【０１３４】
第１１図の通り、凹部７２は、開いた手を甲側から見た如き形状となっており、使用者は、掌を基板部７１側に向けてこの凹部７２に手を嵌め込みうるようになっている。
【０１３５】
この実施の形態では、基板部７１上の凹部７２左右両側に、それぞれ前後方向に配置位置を異ならせて複数個（この実施の形態ではそれぞれ３個）の吐水ノズル８０が設置されている。これらの吐水ノズル８０は、使用者が手を凹部７２には嵌め込んだ状態においてこの手の左右の側面に向って水を噴出するように設置されている。
【０１３６】
この実施の形態では、マッサージ室７内に、この手支持部材７０を回動可能に支持する支軸９０が設けられている。この支軸９０は、マッサージ室７内において略左右方向に延在している。第１２図（ａ），（ｂ）に示すように、手支持部材７０の基板部７１の下面には軸支部７５が設けられており、この軸支部７５に支軸９０が挿通されることにより、手支持部材７０が該支軸９０回りに回動可能にマッサージ室７内に設置されている。
【０１３７】
この軸支部７５は、手支持部材７０の重心位置よりも後方に配置されている。そのため、手支持部材７０は、基板部７１上に手が載荷されていない状態にあっては、第１２図（ｂ）のように、前部側が自重により下方へ落下するように回動して傾いた状態となっている。この実施の形態では、手支持部材７０の前部側が下方へ所定角度まで回動したときにストッパ９１が手支持部材７０の前端部に下方から当接して該手支持部材７０の回動を停止させる。この状態で使用者が基板部７１上に手を載せると、第１２図（ａ）の通り、手支持部材７０の後部側に荷重が加えられ、手支持部材７０は前部側が上方へ持ち上げられるように回動する。この実施の形態では、手支持部材７０が略水平となるまで回動したときにストッパ９２が手支持部材７０の後端部に下方から当接して該手支持部材７０を略水平に支持するようになっている。
【０１３８】
この実施の形態では、基板部７１はエラストマー製であり、使用者が手で該基板部７１を下方へ押すことにより、該基板部７１が下方へ湾曲して手の高さ位置を調整することができるようになっている。ただし、基板部７１の材質はこれに限定されない。
【０１３９】
図示は省略するが、この実施の形態では、手支持部材７０の凹部７２に、各吐水ノズル８０からの水の噴出及び噴出停止を切り替えるＯＮ／ＯＦＦスイッチと、この噴出水の噴出頻度、噴出強さ、噴出方向及び水温の少なくとも１つを調整又は切り替えるためのスイッチが設けられている。なお、このＯＮ／ＯＦＦスイッチとして、該凹部７２に感圧センサ（図示略）を設け、使用者が凹部７２に手を載せたことを該感圧センサが検知したときに各吐水ノズル８０から水が噴出するように構成してもよい。また、ストッパ９２にこのＯＮ／ＯＦＦスイッチを設け、ストッパ９２に手支持部材７０が接触したときに各吐水ノズル８０から水が噴出するように構成してもよい。
【０１４０】
この手支持部材７０を備えたマッサージ器のその他の構成は、前述の実施の形態と同様である。
【０１４１】
このマッサージ器でマッサージを行なう場合、使用者は、両手をそれぞれ差込口９Ｌ，９Ｒからマッサージ室７に差し込み、掌を下に向けて各手支持部材７０の凹部７２に手を嵌め込む。この際、各手支持部材７０は、手からの荷重により第１２図（ａ）の如く略水平となるように回動する。その後、前記ＯＮ／ＯＦＦスイッチを操作して各吐水ノズル８０から温水を噴出させ、この噴出水を手の左右の側面に当てる。これにより、手の左右の側面のツボが刺激され、手がマッサージされる。このマッサージ器のその他の操作方法は前述の実施の形態と同様である。
【０１４２】
なお、この実施の形態の手支持部材７０にあっても、凹部７２は、使用者が手で触れることにより位置を感取することができる。また、この凹部７２は手形状となっているので、手の向きや各指の位置を直感的に把握することができる。これにより、使用者がマッサージ室７内を視認できなくても、容易に且つ確実に両手の位置決めを行うことが可能である。
【０１４３】
この実施の形態にあっては、マッサージ終了後、使用者が手支持部材７０から手を離すと、第１２図（ｂ）の如く、手支持部材７０は自重により前部側が下方へ落下するように回動する。これにより、基板部７１が傾き、凹部７２内の水が排出されるようになる。
【０１４４】
なお、この凹部７２の底面に、該凹部７２内の水を排出するための排水口が設けられてもよい。
【０１４５】
第１３図は、手の位置決め手段のさらに別の構成例を示す平面図であり、第１４図（ａ），（ｂ）はそれぞれ第１３図のXVI−XVI線に沿う断面図である。
【０１４６】
この実施の形態では、使用者の手の置き方や吐水ノズルの配置等が前述の第１１，１２図の実施の形態とは異なっている。
【０１４７】
この実施の形態における手の位置決め手段としての手支持部材７０Ａにあっては、基板部７１上に形成された凹部７２Ａは、開いた状態の手を掌側から見た如き平面視形状となっている。第１３図のように、使用者は、掌を上に向けてこの凹部７２Ａに手を嵌め込む。
【０１４８】
この実施の形態では、手支持部材７０Ａの凹部７２Ａの左右両側には吐水ノズル８０が設置されていない。この実施の形態では、第１４図（ａ），（ｂ）のように、手支持部材７０Ａの上方に吐水ノズル８１が配置されている。符号８２は、前述の給水タンク２０からこの吐水ノズル８１に水を供給するための給水管を示している。ただし、手支持部材７０と同様に、凹部７２Ａの左右両側にも、それぞれ前後方向に配置位置を異ならせて複数個の吐水ノズル８０が設置されてもよい。
【０１４９】
この実施の形態では、吐水ノズル８１は凹部７２Ａに嵌め込まれた手の各指の直上に配置されており、各指の延在方向に沿って各指の先端付近から掌まで前後進可能となっている。第１３図の矢印Ｓは、それぞれ、この吐水ノズル８１の移動経路を示している。この吐水ノズル８１は、図示しない駆動装置によって前後進される。この吐水ノズル８１から各指の腹及び掌に向って水が噴出される。
【０１５０】
なお、親指用、人差し指用、中指用、薬指用、小指用として計５個の吐水ノズル８１を設置してもよく、吐水ノズル８１を左右方向にも移動可能に又は水の噴出方向を変更可能に設置し、共通の吐水ノズル８１で各指をマッサージするように構成してもよい。
【０１５１】
図示は省略するが、この実施の形態でも、手支持部材７０Ａの凹部７２Ａに、吐水ノズル８１からの水の噴出及び噴出停止を切り替えるＯＮ／ＯＦＦスイッチと、この噴出水の噴出頻度、噴出強さ、噴出方向及び水温の少なくとも１つを調整又は切り替えるためのスイッチが設けられている。なお、このＯＮ／ＯＦＦスイッチとして、凹部７２Ａに感圧センサ（図示略）を設け、使用者が凹部７２Ａに手を載せたことを該感圧センサが検知したときに吐水ノズル８１から水が噴出するように構成してもよい。また、ストッパ９２にこのＯＮ／ＯＦＦスイッチを設け、ストッパ９２に手支持部材７０Ａが接触したときに吐水ノズル８１から水が噴出するように構成してもよい。
【０１５２】
なお、第１３，１４図は左手用の手支持部材７０Ａを示している。右手用の手支持部材７０Ａは、この左手用手支持部材７０Ａと左右対称の構成となっている。
【０１５３】
この手支持部材７０Ａのその他の構成及びこの手支持部材７０Ａを備えたマッサージ器のその他の構成は、前述の第１１，１２図の実施の形態と同様である。
【０１５４】
このマッサージ器でマッサージを行なう場合、使用者は、両手をそれぞれ差込口９Ｌ，９Ｒからマッサージ室７に差し込み、掌を上に向けて各手支持部材７０Ａの凹部７２Ａに手を嵌め込む。この際、各手支持部材７０Ａは、手からの荷重により第１４図（ａ）の如く略水平となるように回動する。その後、前記ＯＮ／ＯＦＦスイッチを操作して吐水ノズル８１から温水を噴出させ、この噴出水を各指の指先から掌に当てる。これにより、手の血行が促進されるようになる。このマッサージ器のその他の操作方法は前述の実施の形態と同様である。
【０１５５】
なお、この実施の形態の手支持部材７０Ａにあっても、凹部７２Ａは、使用者が手で触れることにより位置を感取することができる。また、この凹部７２Ａは手形状となっているので、手の向きや各指の位置を直感的に把握することができる。これにより、使用者がマッサージ室７内を視認できなくても、容易に且つ確実に両手の位置決めを行うことが可能である。
【０１５６】
この実施の形態にあっても、マッサージ終了後、使用者が手支持部材７０Ａから手を離すと、第１４図（ｂ）の如く、手支持部材７０Ａは自重により前部側が下方へ落下するように回動する。これにより、基板部７１が傾き、凹部７２Ａ内の水が排出されるようになる。
【０１５７】
なお、この実施の形態においても、該凹部７２Ａの底面に、該凹部７２Ａ内の水を排出するための排水口が設けられてもよい。
【０１５８】
この実施の形態では、吐水ノズル８１はビーム状に水を噴出するものであり、この吐水ノズル８１を前後進させることにより指先から掌まで噴出水を当てるように構成しているが、吐水ノズル８１として、指先の上方から掌の上方まで延在するスリット状の吐水口を有するノズルを用い、このノズルから帯状に水を噴出させて指先から掌まで同時に噴出水を当てるように構成してもよい。ビーム状に水を噴出するノズルを複数個、指先の上方から掌の上方まで配列することにより、指先から掌まで同時に噴出水を当てるように構成してもよい。
【０１５９】
この実施の形態では、吐水ノズル８１は、各指の延在方向に沿って前後進するものとなっているが、前後方向に首振り（揺動）可能なものとされてもよい。
この実施の形態では、使用者は掌を上にして手を手支持部材７０Ａに載せるように構成しているが、甲を上にして手を手支持部材７０Ａに載せるように構成してもよい。掌を上にする場合と甲を上とする場合とでは、凹部７２Ａの形状は略左右対称となる。
【０１６０】
上記の各実施の形態はいずれも本発明の一例を示すものであり、本発明は図示の構成に限定されない。
【０１６１】
例えば、本発明のマッサージ器は、水で手をマッサージするマッサージ機能のみを有した構成であってもよい。
【図面の簡単な説明】
【０１６２】
【図１】実施の形態に係るマッサージ器の全体斜視図である。
【図２】マッサージ器の座席の側面図及び上面図である。
【図３】マッサージ器の握り棒の斜視図である。
【図４】使用者が握り棒を握った状態を示す斜視図である。
【図５】握り棒と使用者の手との上面図である。
【図６】握り棒を曲げた状態を示す斜視図である。
【図７】手の位置決め手段の別の構成例を示す平面図である。
【図８】図７のVIII−VIII線に沿う断面図である。
【図９】手支持部材の変更例を示す断面図である。
【図１０】吐水ノズルの別の配置を示す斜視図である。
【図１１】手の位置決め手段のさらに別の構成例を示す平面図である。
【図１２】図１１のXII−XII線に沿う断面図である。
【図１３】手の位置決め手段のさらに別の構成例を示す平面図である。
【図１４】図１３のXVI−XVI線に沿う断面図である。
【符号の説明】
【０１６３】
１  マッサージ器
２  ベース
３  マッサージ器本体
４  座席
５  ハウジング
６  タンク収容室
７  マッサージ室
８  ヘッダー室
９Ｌ，９Ｒ  差込口
１１Ｌ，１１Ｒ  握り棒
１２  溝
１３  張出部
１４  吐水ノズル
２０  給水タンク
２１  排水タンク
２２  気体タンク
２８  脚部加温装置
２９  頭部支持部材
３０  気体散布ノズル
３１  香りシート設置部
３２  操作パネル
３３  フード
３４  ヒータ
３５  スピーカ
３６  制御ユニット
５０  手支持部材
５１  基板部
５２  張出部
５３，５３ａ〜５３ｅ  指挿入口
６０  吐水ノズル
７０，７０Ａ  手支持部材
７１，７１Ａ  基板部
７２，７２Ａ  凹部
８０，８１  吐水ノズル
【図１】
2009219782.tif 000003
【図２】
2009219782.tif 000004
【図３】
2009219782.tif 000005
【図４】
2009219782.tif 000006
【図５】
2009219782.tif 000007
【図６】
2009219782.tif 000008
【図７】
2009219782.tif 000009
【図８】
2009219782.tif 000010
【図９】
2009219782.tif 000011
【図１０】
2009219782.tif 000012
【図１１】
2009219782.tif 000013
【図１２】
2009219782.tif 000014
【図１３】
2009219782.tif 000015
【図１４】
2009219782.tif 000016